(57)【特許請求の範囲】
【請求項１】
電子番組ガイドを表示可能なテレビ装置とリモコン装置とを有するテレビ受信システムであって、
前記テレビ装置と前記リモコン装置との離間距離を測定する測定手段と、
前記測定手段の測定結果と前記テレビ装置からの距離に対応する第１の閾値Ｓ１及び第２の閾値Ｓ２（Ｓ１＜Ｓ２）とに応じて、前記テレビ装置及び前記リモコン装置における前記電子番組ガイドの表示を制御する制御手段とを備え、
ユーザによる電子番組ガイドの表示指示に従って、前記制御手段は、前記測定手段による測定結果が前記第１の閾値Ｓ１以下である場合は、前記テレビ装置に電子番組ガイドを表示するとともに前記リモコン装置には電子番組ガイドを表示しないように制御し、前記測定手段による測定結果が前記第２の閾値Ｓ２以上である場合は、前記リモコン装置に電子番組ガイドを表示するとともに前記テレビ装置に電子番組ガイドを表示しないように制御することを特徴とするテレビ受信システム。
【請求項２】
前記制御手段は、前記測定手段による測定結果が前記第１の閾値Ｓ１以上であり、前記第２の閾値Ｓ２未満である場合には、前記テレビ装置と前記リモコン装置の双方に電子番組ガイドを表示する制御を行うことを特徴とする請求項１に記載のテレビ受信システム。
【請求項３】
電子番組ガイドを表示可能なテレビ装置とリモコン装置とを有するテレビ受信システムの制御方法であって、
前記テレビ装置と前記リモコン装置との離間距離を測定する測定工程と、
前記測定工程での測定結果と前記テレビ装置からの距離に対応する第１の閾値Ｓ１及び第２の閾値Ｓ２（Ｓ１＜Ｓ２）とに応じて、前記テレビ装置及び前記リモコン装置における前記電子番組ガイドの表示を制御する制御工程とを備え、
ユーザによる電子番組ガイドの表示指示に従って、前記制御工程では、前記測定工程での測定結果が前記第１の閾値Ｓ１以下である場合は、前記テレビ装置に電子番組ガイドを表示するとともに前記リモコン装置には電子番組ガイドを表示しないように制御し、前記測定工程での測定結果が前記第２の閾値Ｓ２以上である場合は、前記リモコン装置に電子番組ガイドを表示するとともに前記テレビ装置に電子番組ガイドを表示しないように制御することを特徴とするテレビ受信システムの制御方法。
【請求項４】
前記制御工程では、前記測定工程での測定結果が前記第１の閾値Ｓ１以上であり、前記第２の閾値Ｓ２未満である場合には、前記テレビ装置と前記リモコン装置の双方に電子番組ガイドを表示する制御を行うことを特徴とする請求項３に記載のテレビ受信システムの制御方法。
【発明の詳細な説明】
【技術分野】
【０００１】
本発明は、電子番組ガイド（ＥＰＧ：Ｅｌｅｃｔｒｏｎｉｃ Ｐｒｏｇｒａｍ Ｇｕｉｄｅ）を表示可能なテレビ装置とリモコン装置を有するテレビ受信システム及びその制御方法に関する。
【背景技術】
【０００２】
近年、ＥＰＧ受信機を搭載したデジタルテレビの普及により、ＧＵＩ（Ｇｒａｐｈｉｃａｌ  Ｕｓｅｒ  Ｉｎｔｅｒｆａｃｅ）によって快適かつ効率的な番組選択が可能になっている。
【０００３】
また、ＥＰＧデータは放送波やインターネットを通じて定期的にテレビに取り込まれ、視聴者側は番組の急な延長や変更にも瞬時に対応できる等、ＥＰＧシステムは非常に役立つ機能となっている。
【０００４】
ところで、このＥＰＧの表示手段について、テレビ画面に表示することは勿論であるが、特許文献１に開示されているように、リモコン装置にＥＰＧ表示手段を備えることも可能である。この形態では、リモコンにＥＰＧが表示されているので、テレビから遠い位置でＥＰＧの確認等をすることができ、テレビ画面のＥＰＧの文字が小さくてよく見えないという問題点が解決できる。
【０００５】
【特許文献１】特開２００３−１２５２３０号公報
【発明の開示】
【発明が解決しようとする課題】
【０００６】
しかしながら、常にリモコン側の表示が有用であるとは限らない。例えば、大画面のテレビを比較的近い距離で視聴している場合等は、リモコンの表示よりテレビ画面の表示の方が見易く、情報量も圧倒的に豊富である。そして、前記のようにリモコン表示を必要としない場合に、ＥＰＧを表示させたままにしておくことは、リモコンの消費電力の観点から考えて好ましいことではない。
【０００７】
本発明は係る実情に鑑みてなされたものであり、前記の問題点を改善し、ユーザーの視聴距離に応じて自動的にＥＰＧ表示のＯＮ、ＯＦＦを切り替えることが可能なテレビ受信システムの提供を目的とする。
【課題を解決するための手段】
【０００８】
本発明のテレビ受信システムは、電子番組ガイドを表示可能なテレビ装置とリモコン装置とを有するテレビ受信システムであって、前記テレビ装置と前記リモコン装置との離間距離を測定する測定手段と、前記測定手段の測定結果と前記テレビ装置からの距離に対応する第１の閾値Ｓ１及び第２の閾値Ｓ２（Ｓ１＜Ｓ２）とに応じて、前記テレビ装置及び前記リモコン装置における前記電子番組ガイドの表示を制御する制御手段とを備え、ユーザによる電子番組ガイドの表示指示に従って、前記制御手段は、前記測定手段による測定結果が前記第１の閾値Ｓ１以下である場合は、前記テレビ装置に電子番組ガイドを表示するとともに前記リモコン装置には電子番組ガイドを表示しないように制御し、前記測定手段による測定結果が前記第２の閾値Ｓ２以上である場合は、前記リモコン装置に電子番組ガイドを表示するとともに前記テレビ装置に電子番組ガイドを表示しないように制御することを特徴とする。
また、本発明のテレビ受信システムの制御方法は、電子番組ガイドを表示可能なテレビ装置とリモコン装置とを有するテレビ受信システムの制御方法であって、前記テレビ装置と前記リモコン装置との離間距離を測定する測定工程と、前記測定工程での測定結果と前記テレビ装置からの距離に対応する第１の閾値Ｓ１及び第２の閾値Ｓ２（Ｓ１＜Ｓ２）とに応じて、前記テレビ装置及び前記リモコン装置における前記電子番組ガイドの表示を制御する制御工程とを備え、ユーザによる電子番組ガイドの表示指示に従って、前記制御工程では、前記測定工程での測定結果が前記第１の閾値Ｓ１以下である場合は、前記テレビ装置に電子番組ガイドを表示するとともに前記リモコン装置には電子番組ガイドを表示しないように制御し、前記測定工程での測定結果が前記第２の閾値Ｓ２以上である場合は、前記リモコン装置に電子番組ガイドを表示するとともに前記テレビ装置に電子番組ガイドを表示しないように制御することを特徴とする。
【発明の効果】
【０００９】
本発明によれば、ユーザーの視聴距離に応じて、テレビ装置およびリモコン装置における電子番組ガイド（ＥＰＧ）の表示を制御することができる。これによって、テレビから遠い位置においては、テレビ装置における表示をＯＦＦし、画面を占有することなくＥＰＧの確認及び操作を行えるといった効果が得られる。また、テレビから近い位置においては、リモコン装置における表示をＯＦＦし、リモコン装置の電池を節約できるといった効果が得られる。
【発明を実施するための最良の形態】
【００１０】
以下、図面を参照して、本発明の好適な実施の形態について説明する。図1は、本発明の実施の形態に係るテレビ装置及びリモコン装置とを有するテレビ受信システムの構成を示すブロック図である。
【００１１】
テレビ装置１００は、表示部１０１、ＥＰＧ受信部１０２、制御部１０３、無線モジュール１０４を備えている。無線モジュール１０４は、リモコン装置２００とのデータ通信を行う通信部１０５と、テレビ装置１００とリモコン装置２００との離間距離を測定する測距部１０６（測定手段）を有する。
【００１２】
リモコン装置２００は、表示部２０１、無線モジュール２０２、入力部２０５を備えている。無線モジュール２０２は、テレビ装置１００とのデータ通信を行う通信部２０３と、テレビ装置１００とリモコン装置２００との離間距離を測定する測距部２０４（測定手段）を有する。
【００１３】
テレビ装置１００において、表示部１０１はＥＰＧを表示する部分であり、例えば液晶パネル等で構成される。
【００１４】
ＥＰＧ受信部１０２は、例えば電波によってアンテナ経由でＥＰＧデータを受信する部分である。制御部１０３は、測距部１０６及び２０４によって測定されたテレビ装置１００とリモコン装置２００との離間距離に応じて、ＥＰＧ受信部１０２から取り入れたＥＰＧデータを表示部１０１及び２０１に表示するかどうかの制御を行う。
【００１５】
続いて、リモコン装置２００において、表示部２０１は、ＥＰＧ、メニュー（テレビの設定情報等）、日付、現在時刻等の各種の情報を表示する。
【００１６】
入力部２０５は、テレビの電源ＯＮ又はＯＦＦ、チャンネル切替、音量調整等の各種の命令を入力する部分であり、ボタン操作によって操作情報を入力信号として無線モジュール２０２に送る。ＥＰＧの表示は、この入力部２０５にある図示しないＥＰＧ表示ボタンを操作することによって表示される。この入力部２０５は、例えば液晶タッチパネルを用いて、ペンや指先の指示によって操作を行えるようにしてもよい。
【００１７】
また、上記テレビ装置１００及びリモコン装置２００の通信部１０５、２０３及び測距部１０６、２０４には、ＵＷＢ（Ｕｌｔｒａ  Ｗｉｄｅ  Ｂａｎｄ）通信方式を採用することが好適である。ＵＷＢは、データを１ＧＨｚ程度の極めて広い周波数対帯に拡散して送受信を行うことで、数十Ｍｂｐｓの高速データ伝送を実現するものである。また、搬送波を使用せずに１ナノ秒程度の超極細パルスで送受信を行うため、従来の無線システムと比べると非常に低消費電力である。さらに、ＵＷＢは、超極細パルスを用いるために高い時間分解能を持ち、誤差数ｃｍ内での「測距」をすることが可能である。
【００１８】
次に、本発明の実施の形態に係るテレビ装置１００及びリモコン装置２００においてのＥＰＧ表示の制御を行う上での考え方を説明する。
【００１９】
まず前提として、視聴距離が推奨の範囲内かどうかの判断基準となる閾値Ｓｍｉｎ（第１の所定値）、Ｓｍａｘ（第２の所定値）がテレビ装置１００内部で設定されているものとする。ここで、例えばＳｍｉｎ＝３（ｍ）、Ｓｍａｘ＝５（ｍ）に設定されているとする時、テレビ装置１００とリモコン装置２００との距離が３（ｍ）以下の場合は、テレビ装置１００の表示部１０１にはＥＰＧを表示するが、リモコン装置２００の表示部２０１には表示しないようにする。その理由は、テレビ画面の近くであればＥＰＧも大画面で見たほうが良く、リモコン装置２００側の表示は不要であると考えられるからである。
【００２０】
また、テレビ装置１００とリモコン装置２００との距離が５（ｍ）以上の場合には、テレビ装置１００の表示部１０１にはＥＰＧを表示せず、リモコン装置２００の表示部２０１のみに表示するようにする。その理由は、テレビ装置１００から遠い距離で視聴している場合は、テレビ装置１００側にＥＰＧを表示してもはっきり文字が見えないので、意味がないと考えられるからである。
【００２１】
テレビ装置１００とリモコン装置２００との距離が３（ｍ）より遠く５（ｍ）より近い場合は、推奨の視聴距離範囲内であると考えて、テレビ装置１００と、リモコン装置２００の両方の表示部にＥＰＧが表示されるようにする。
【００２２】
また、ここで使用される上記の閾値については、以下の3種類の設定方法が考えられる。  
【００２３】
１つ目は、工場出荷時に予め設定する場合である。この場合の値は、例えば画面サイズに従った推奨視聴距離に応じて決定する。
【００２４】
２つ目は、ユーザーがメニューを操作して任意の値を設定する場合である。
【００２５】
３つ目は、モニターサイズを自動判別して、推奨される視聴距離に応じた値が閾値として自動設定される場合である。これは、ＥＰＧシステムがセットトップボックスの形態で提供され、画面サイズの異なる様々なテレビと接続するような場合において効果的である。
【００２６】
一般的に、テレビを見る時に推奨とされる視聴距離は、画面のアスペクト比と画面高さＨによって決められていて、例えばＨＤＴＶ（Ｈｉｇｈ  Ｄｅｆｉｎｉｔｉｏｎ  Ｔｅｌｅｖｉｓｉｏｎ）の１６：９の画面においては、３Ｈが推奨視聴距離とされている。
【００２７】
ここで、推奨視聴距離が３Ｈである場合を例にとり、図２のフローチャートを用いて、テレビ装置１００とリモコン装置２００の動作をそれぞれ説明する。なお、閾値はＳｍｉｎ＝２Ｈ、Ｓｍａｘ＝４Ｈとする。
【００２８】
まず、図２（ａ）を用いて、テレビ装置１００の動作フローを説明する。
【００２９】
ステップＳ０１ａにおいて、テレビ装置１００とリモコン装置２００の距離の値を保持するための変数Ｌの初期化が行われる。
【００３０】
次に、ステップＳ０２ａにおいて、リモコン装置２００側の側距部２０４から測定結果の距離データ（ｌ）を受信して変数Ｌに代入する。
【００３１】
次いで、ステップＳ０３ａにおいて、変数Ｌの判定が行われる。Ｌ≦２Ｈのとき、ステップＳ０４ａに進む。この場合は、ある程度テレビ装置１００に近い距離で視聴している場合であり、リモコン装置２００にＥＰＧを表示する必要はないと考えられるので、テレビ装置１００の表示部１０１にのみＥＰＧの表示を行って終了する。
【００３２】
一方、Ｌ＞２Ｈのときは、ステップＳ０５ａに進む。この場合は、ある程度テレビ装置１００から離れて視聴している場合であり、リモコン装置２００においてＥＰＧを表示することが有効であると考えられるので、ＥＰＧデータをリモコン装置２００側に送信して、ステップＳ０６ａに進む。
【００３３】
次に、ステップＳ０６ａにおいて、さらに変数Ｌの判定が行われる。まず、Ｌ＜４Ｈである場合、ステップＳ０３ａでの判定結果も合わせると、２Ｈ＜Ｌ＜４Ｈとなり、おおよそ推奨視聴距離の範囲となる。この場合、ステップＳ０４ａに進み、テレビ装置１００の表示部１０１にＥＰＧを表示して終了する。
【００３４】
また、Ｌ≧４Ｈの場合、テレビ装置１００から比較的離れた位置で視聴もしくはリモコン操作を行っていると考えられ、テレビ装置１００にＥＰＧを表示してもはっきりと見えないことが予想されるため、テレビ装置１００にはＥＰＧを表示せずに終了する。
【００３５】
次に、図２（ｂ）を用いて、リモコン装置２００の動作フローを説明する。
【００３６】
ステップＳ０１ｂにおいて、前記ＥＰＧ表示ボタンを押すと、表示指示が無線モジュール２０２に伝わり、ステップＳ０２ｂへ進む。
【００３７】
そして、ステップＳ０２ｂにおいて、測距部２０４がテレビ装置１００との離間距離を測定し、ステップＳ０３ｂに進む。
【００３８】
次いで、ステップＳ０３ｂにおいて、ステップＳ０２ｂで測定した距離情報を、通信部２０３からテレビ装置１００の通信部１０５へ無線通信によって送信し、ステップＳ０４ｂに進む。
【００３９】
ステップＳ０４ｂでは、テレビ装置１００側から送られてきたＥＰＧデータを受信し、次のステップＳ０５ｂで受信の確認がされて、ステップＳ０６ｂに進み、表示部２０１にＥＰＧを表示して終了する。ステップＳ０４ｂでＥＰＧデータを受信できないときは、ステップＳ０５ｂでＥＰＧデータが受信されていないと判断されてそのまま終了する。
【００４０】
以上のフローの流れを、図３を参照しながら、実際にユーザーが使用する視点で簡単に整理して説明する。まずリモコン装置２００でＥＰＧ表示ボタンを押すと、テレビ装置１００との離間距離を測定して、その距離情報がテレビ装置１００側に送信される。
【００４１】
テレビ装置１００側では送信された距離情報によってＥＰＧの表示の制御を行い、Ｌ≦２Ｈ（図３のＡの位置）の場合は、テレビ装置１００の表示部１０１のみにＥＰＧの表示を行う。
【００４２】
２Ｈ＜Ｌ＜４Ｈ（図３のＢの位置）の場合は、テレビ装置１００の表示部１０１とリモコン装置の表示部２０１のいずれにもＥＰＧの表示を行う。
【００４３】
Ｌ≧４Ｈ（図３のＣの位置）の場合は、リモコン装置２００の表示部２０１のみにＥＰＧの表示を行う。
【００４４】
以上の説明においては、推奨視聴距離が３Ｈの場合（アスペクト比１６：９）を例にとったが、その他のアスペクト比の場合についても同様に表示の切替を行うことができる。
【００４５】
次に、図４を参照して、ユーザーの僅かな動きを踏まえ、ヒステリシス特性を考慮したテレビ装置及びリモコン装置のＥＰＧの表示の制御について説明する。
【００４６】
上記説明した閾値Ｓｍｉｎ、Ｓｍａｘを設定した場合、ユーザーがいずれかの閾値（図４においてＬTとする）付近でテレビを視聴したときに、ユーザーの僅か動きによって、リモコンがＬT上を何度も行き来するような状態が起こりうる（図４（ａ））。
【００４７】
この場合、図４（ｂ）に示すような表示状態１と表示状態２との間で必要以上に画面の表示切替が生じてしまい、ユーザーにとって煩わしい動作となり、また消費電力を考慮しても好適な動作ではない。
【００４８】
そこで、前記閾値に、動作を開始させる点と停止させる点に差を持たせる、つまり、ヒステリシス特性を持たせ、閾値に上限値ＬTH及び下限値ＬTLを設定し制御する。こうすることで、視聴距離の値Ｌが一度上限値ＬTHを上回ると、下限値ＬTLを下回るまで一定の表示状態を保つようにすることができる。また、Ｌが一度下限値ＬTLを下回ると、再度上限値ＬTHを上回るまで一定の表示状態を保つようにすることができる。（図４（ｃ））。このようにそれぞれの閾値に上限値及び下限値を設定することで、前述した頻繁な画面表示の切り替わりによる煩わしさを解消することができ、使用性の高いテレビ受信システムを提供することが可能となる。
【００４９】
以上のように構成した本発明のテレビ受信システムによれば、ユーザーがリモコン装置２００のＥＰＧ表示ボタンでＥＰＧ表示を指示した後、側距部１０６、２０４によりテレビ装置１００とリモコン装置２００との離間距離を測定して、その測定結果に応じて、テレビ装置１００及びリモコン装置２００におけるＥＰＧの表示を自動的に制御することができる。
【００５０】
これにより、テレビ装置１００から近い位置（本実施の形態では、閾値Ｓｍｉｎ（第１の所定値）以下の位置）ではリモコン２００におけるＥＰＧの表示をＯＦＦし、リモコンの電池を節約できるといった効果が得られる。
【００５１】
また、テレビ装置１００から遠い位置（本実施の形態では、閾値Ｓｍａｘ（第２の所定値）以上の位置）においては、テレビ装置１００における表示をＯＦＦし、画面を占有することなく、リモコン装置２００においてＥＰＧの確認及び操作を行えるといった効果が得られる。
【００５２】
また、ユーザーの視聴距離が推奨の範囲内かどうかの判断基準又はＥＰＧの表示の切替の判断基準とする閾値にヒステリシス特性を持たせて制御することにより、ユーザーが前記閾値付近で視聴している場合に起こりうる頻繁な画面表示の切り替わりによる煩わしさを解消することができ、使用性の高いテレビ受信システムを提供することができる。
【００５３】
なお、本実施の形態においては、テレビ装置１００及びリモコン装置２００にＥＰＧを表示することについて説明したが、これに類するテレビ装置に接続して受けることのできる様々なサービスにおいても、本発明は好適に実施が可能である。
【００５４】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００５５】
この場合、記憶媒体から読み出されたプログラムコード自体が上述した実施形態の機能を実現することになり、プログラムコード自体及びそのプログラムコードを記憶した記憶媒体は本発明を構成することになる。
【００５６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５７】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００５８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００５９】
【図１】本発明のテレビ受信システムの構成を示すブロック図である。
【図２】本発明のテレビ受信システムの制御動作を説明するためのフローチャートである。
【図３】本発明のテレビ受信システムにおける視聴距離による表示切替を説明するための概念図である。
【図４】本発明のテレビ受信システムの特性について説明するための図である。
【符号の説明】
【００６０】
１００  テレビ装置
１０１  表示部
１０２  ＥＰＧ受信部
１０３  制御部
１０４  無線モジュール
１０５  通信部
１０６  側距部（測定手段）
２００  リモコン装置
２０１  表示部
２０２  無線モジュール
２０３  通信部
２０４  側距部（測定手段）
２０５  入力部
【図１】
0004759409.tif 000002
【図２】
0004759409.tif 000003
【図３】
0004759409.tif 000004
【図４】
0004759409.tif 000005